【手続補正書】
【提出日】平成16年10月19日(2004.10.19)
【手続補正１】
【補正対象書類名】明細書
【補正対象項目名】発明の名称
【補正方法】変更
【補正の内容】
【発明の名称】デジタル信号伝送方法、デジタル信号送信装置およびデジタル信号受信装置
【手続補正２】
【補正対象書類名】明細書
【補正対象項目名】特許請求の範囲
【補正方法】変更
【補正の内容】
【特許請求の範囲】
【請求項１】
固定長のパケット形式で、時分割多重されたデジタル信号を１つ以上の系統に分割して伝送するデジタル信号伝送方法において、
１フレーム時間に含まれるパケット数を、各系統に各パケットを分配する全ての組み合わせの中で最大のパケット数以上の整数パケット数分とすることで定まる伝送クロック信号を使用し、
各系統にデジタル信号を分配する割合と各系統の伝送パラメータとの組み合わせで決まる実際のパケット数と、前記整数パケット数との差分を、実際には受信側に伝送されないヌルパケットにすることでデジタル信号の伝送レートを一定とすることを特徴とするデジタル信号伝送方法。
【請求項２】
請求項１に記載のデジタル信号伝送方法において、
ヌルパケットを含んだデジタル信号に対し、プログラムクロックリファレンスを含む時刻情報をヌルパケットを挿入した状態で正しく付けることで、受信側で一定のクロック信号を使用して受信信号を再生し得るようにすることを特徴とするデジタル信号伝送方法。
【請求項３】
請求項１または２に記載のデジタル信号伝送方法において、
受信側では、送信側で挿入されたヌルパケットと同じ位置にヌルパケットを挿入して受信信号を再生することを特徴とするデジタル信号伝送方法。
【請求項４】
固定長のパケット形式で、時分割多重されたデジタル信号を１つ以上の系統に分割して送信するデジタル信号送信装置において、
１フレーム時間に含まれるパケット数を、各系統に各パケットを分配する全ての組み合わせの中で最大のパケット数以上の整数パケット数分とすることで定まる伝送クロック信号を使用し、各系統にデジタル信号を分配する割合と各系統の伝送パラメータとの組み合わせで決まる実際のパケット数と、前記整数パケット数との差分を、実際には受信側に伝送されないヌルパケットにするヌルパケット挿入部を備えたことを特徴とするデジタル信号送信装置。
【請求項５】
請求項４に記載のデジタル信号送信装置において、
ヌルパケットを含んだデジタル信号に対し、プログラムクロックリファレンスを含む時刻情報を、ヌルパケットを挿入した状態で正しく付けることを特徴とするデジタル信号送信装置。
【請求項６】
固定長のパケット形式で、時分割多重されたデジタル信号が１つ以上の系統に分割されて送信された信号を受信するデジタル信号受信装置において、
１フレーム時間に含まれるパケット数が、各系統に各パケットを分配した全ての組み合わせの中で最大のパケット数以上の整数パケット数分とされたことで定まる伝送クロック信号を使用し、各系統で生成される実際のパケット数と前記整数パケット数との差分を、ヌルパケットにするヌルパケット挿入部を備えたことを特徴とするデジタル信号受信装置。
【請求項７】
請求項６に記載のデジタル信号受信装置において、
送信側で挿入されたヌルパケットと同じ位置にヌルパケットを挿入して、受信信号を再生することを特徴とするデジタル信号受信装置。
【手続補正３】
【補正対象書類名】明細書
【補正対象項目名】０００１
【補正方法】変更
【補正の内容】
【０００１】
【発明の属する技術分野】
本発明は、固定長のパケット形式で、時分割多重されたデジタル信号を伝送することに使用するデジタル信号伝送方法、デジタル信号送信装置およびデジタル信号受信装置に係り、特にデジタル信号を１つ以上の系統に分割して伝送することに使用するデジタル信号伝送方法、デジタル信号送信装置およびデジタル信号受信装置に関する。
【手続補正４】
【補正対象書類名】明細書
【補正対象項目名】０００２
【補正方法】変更
【補正の内容】
【０００２】
［発明の概要］
本発明は、固定長のパケット形式で、時分割多重されたデジタル信号を階層伝送する際、１つ以上の系統に分割して伝送することに使用するデジタル信号伝送方法、デジタル信号送信装置およびデジタル信号受信装置に関するものであり、ヌルパケット（パケットと同一長の無効データ）を適切な数、適切な位置に挿入することにより、各系統に対するデジタル信号の分配割合や各系統が持つ伝送パラメータの違いなどにより生ずる信号全体の伝送レートの変動を吸収して、デジタル信号の伝送レートを一定にし、これによって複数の伝送クロックの発生を不要にするものである。
【手続補正５】
【補正対象書類名】明細書
【補正対象項目名】０００６
【補正方法】変更
【補正の内容】
【０００６】
本発明は上記の事情に鑑み、階層伝送などのように１つ以上の系統に分割してデジタル信号を伝送するとき、各系統の伝送パラメータや各系統への信号の分配割合を柔軟に設定しても、信号全体の伝送レートが変化しないようにすることができ、これによって送受信機のクロック発生部を簡単にして、受信機側の低廉化を達成することができるデジタル信号伝送方法、デジタル信号送信装置およびデジタル信号受信装置を提供することを目的としている。
【手続補正６】
【補正対象書類名】明細書
【補正対象項目名】０００７
【補正方法】変更
【補正の内容】
【０００７】
【課題を解決するための手段】
上記の目的を達成するために本発明は、請求項１では、固定長のパケット形式で、時分割多重されたデジタル信号を１つ以上の系統に分割して伝送するデジタル信号伝送方法において、１フレーム時間に含まれるパケット数を、各系統に各パケットを分配する全ての組み合わせの中で最大のパケット数以上の整数パケット数分とすることで定まる伝送クロック信号を使用し、各系統にデジタル信号を分配する割合と各系統の伝送パラメータとの組み合わせで決まる実際のパケット数と、前記整数パケット数との差分を、実際には受信側に伝送されないヌルパケットにすることでデジタル信号の伝送レートを一定とすることを特徴としている。
【手続補正７】
【補正対象書類名】明細書
【補正対象項目名】０００８
【補正方法】変更
【補正の内容】
【０００８】
また、請求項２では、請求項１に記載のデジタル信号伝送方法において、ヌルパケットを含んだデジタル信号に対し、プログラムクロックリファレンスを含む時刻情報をヌルパケットを挿入した状態で正しく付けることで、受信側で一定のクロック信号を使用して受信信号を再生し得るようにすることを特徴としている。
【手続補正８】
【補正対象書類名】明細書
【補正対象項目名】００１１
【補正方法】変更
【補正の内容】
【００１１】
また、請求項４では、固定長のパケット形式で、時分割多重されたデジタル信号を１つ以上の系統に分割して送信するデジタル信号送信装置において、１フレーム時間に含まれるパケット数を、各系統に各パケットを分配する全ての組み合わせの中で最大のパケット数以上の整数パケット数分とすることで定まる伝送クロック信号を使用し、各系統にデジタル信号を分配する割合と各系統の伝送パラメータとの組み合わせで決まる実際のパケット数と、前記整数パケット数との差分を、実際には受信側に伝送されないヌルパケットにするヌルパケット挿入部を備えたことを特徴としている。
【手続補正９】
【補正対象書類名】明細書
【補正対象項目名】００１２
【補正方法】変更
【補正の内容】
【００１２】
また、請求項５では、請求項４に記載のデジタル信号送信装置において、ヌルパケットを含んだデジタル信号に対し、プログラムクロックリファレンスを含む時刻情報を、ヌルパケットを挿入した状態で正しく付けることを特徴としている。
【手続補正１０】
【補正対象書類名】明細書
【補正対象項目名】００１３
【補正方法】変更
【補正の内容】
【００１３】
また、請求項６では、固定長のパケット形式で、時分割多重されたデジタル信号が１つ以上の系統に分割されて送信された信号を受信するデジタル信号受信装置において、１フレーム時間に含まれるパケット数が、各系統に各パケットを分配した全ての組み合わせの中で最大のパケット数以上の整数パケット数分とされたことで定まる伝送クロック信号を使用し、各系統で生成される実際のパケット数と前記整数パケット数との差分を、ヌルパケットにするヌルパケット挿入部を備えたことを特徴としている。
【手続補正１１】
【補正対象書類名】明細書
【補正対象項目名】００１４
【補正方法】変更
【補正の内容】
【００１４】
また、請求項７では、請求項６に記載のデジタル信号受信装置において、送信側で挿入されたヌルパケットと同じ位置にヌルパケットを挿入して、受信信号を再生することを特徴としている。
【手続補正１２】
【補正対象書類名】明細書
【補正対象項目名】００１６
【補正方法】変更
【補正の内容】
【００１６】
《発明の原理説明》
まず、本発明によるデジタル信号伝送方法、デジタル信号送信装置およびデジタル信号受信装置の詳細な説明に先だって、本発明の基本原理について説明する。
【手続補正１３】
【補正対象書類名】明細書
【補正対象項目名】００２７
【補正方法】変更
【補正の内容】
【００２７】
そこで、本発明によるデジタル信号伝送方法、デジタル信号送信装置およびデジタル信号受信装置では、図６に示すように、送信機側のトランスポートストリームエンコード処理や、受信機側のトランスポートストリームデコード処理されるトランスポートストリームとしては、１フレーム時間に含まれるトランスポートストリームパケットの数を、全ての伝送パラメータ、各系統への分配割合との組み合わせの中で最大となるトランスポートストリームパケット数以上で、且つ整数となるトランスポートストリームパケット数にするとともに、この整数となるトランスポートストリームパケット数と、実際に送信するトランスポートストリームパケット数との差分をヌルパケットにすることで、各系統へのデジタル信号の分配割合と、各系統の伝送パラメータとの組み合わせにより、伝送容量が変動しても、デジタル信号の伝送レートを一定にしている。